【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
所定の始動条件の成立に応じて複数種類の識別情報を変動表示させ、導出された表示結果が特定表示結果となったときに遊技者にとって有利な特定遊技状態に制御する遊技機であって、
前記始動条件が成立したときに、前記特定表示結果を導出させるか否かを決定するための特定決定用数値データと、識別情報の変動表示の表示結果が導出されるまでに行われる識別情報の変動パターンを特定変動パターンを含む複数種類の変動パターンのうちから選択するための変動パターン選択用数値データとを含む数値データを抽出する数値データ抽出手段と、
前記数値データ抽出手段により抽出された数値データを、保留記憶として所定数まで記憶する保留記憶手段と、
前記保留記憶手段に記憶された保留記憶により行う変動表示において前記特定表示結果を導出させるか否かを、該保留記憶についての数値データのうちの前記特定決定用数値データに基づいて、該保留記憶による変動表示の表示結果を導出するよりも前に決定する特定決定手段と、
識別情報の変動表示が開始されるときに、前記特定決定手段の決定結果と、当該時点で前記保留記憶手段に記憶されている保留記憶の数と、前記数値データ抽出手段により抽出された前記変動パターン選択用数値データの値と、複数種類の変動パターンの各々に対応した判定値とに基づいて、当該変動表示における識別情報の変動パターンを選択する変動パターン選択手段と、
識別情報の変動表示が開始されるときに、当該時点で前記保留記憶手段に記憶されている保留記憶のうちに特定の保留記憶が含まれているか否かを判定する特定保留記憶判定手段と、
前記特定保留記憶判定手段の判定結果に応じて、前記保留記憶手段に記憶されている保留記憶のうちに特定の保留記憶が含まれている旨の先読み予告を実行するか否かを決定する先読み予告決定手段と、
前記先読み予告決定手段の決定結果に従って、前記先読み予告を実行する先読み予告実行手段とを備え、
前記特定変動パターンに対応した判定値は、識別情報の変動表示が開始されるときに前記保留記憶手段に記憶されている保留記憶の数に関わらずに、共通の判定値が設定され、
前記特定変動パターンと異なる非特定変動パターンに対応した判定値は、識別情報の変動表示が開始されるときに前記保留記憶手段に記憶されている保留記憶の数に応じて異なる判定値が設定され、
前記特定保留記憶判定手段は、前記数値データ抽出手段により抽出された前記変動パターン選択用数値データの値が前記特定変動パターンに対応した共通の判定値と合致するか否かを判定することで、前記特定の保留記憶が含まれているか否かを判定する
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に関し、特に識別情報の変動表示が開始されるときに、当該時点で保留記憶手段に特定の保留記憶が記憶されているか否かを判定し、該判定結果に応じて先読み予告を実行するか否かを決定する遊技機に関する。
【手続補正３】
【補正対象書類名】明細書
【補正対象項目名】０００９
【補正方法】変更
【補正の内容】
【０００９】
本発明は、保留記憶手段に記憶された保留記憶を適度に消化しつつ、該保留記憶のうちに特定変動パターンで変動表示が実行される保留記憶が含まれていることを先読み予告することができる遊技機を提供することを目的とする。
【手続補正４】
【補正対象書類名】明細書
【補正対象項目名】００１０
【補正方法】変更
【補正の内容】
【００１０】
上記目的を達成するため、本発明にかかる遊技機は、
所定の始動条件の成立に応じて複数種類の識別情報を変動表示させ、導出された表示結果が特定表示結果となったときに遊技者にとって有利な特定遊技状態（第１大当たり遊技状態）に制御する遊技機（パチンコ遊技機１）であって、
前記始動条件が成立したときに、前記特定表示結果を導出させるか否かを決定するための特定決定用数値データ（大当たり判定用乱数、大当たり種別判定用乱数）と、識別情報の変動表示の表示結果が導出されるまでに行われる識別情報の変動パターンを特定変動パターン（スーパーリーチ）を含む複数種類の変動パターン（変動パターン）のうちから選択するための変動パターン選択用数値データ（変動パターン判定用乱数）とを含む数値データを抽出する数値データ抽出手段（ＣＰＵ５６）と、
前記数値データ抽出手段により抽出された数値データを、保留記憶として所定数まで記憶する保留記憶手段（始動入賞時に抽出した各種乱数を格納するＲＡＭ５５の保留記憶バッファ）と、
前記保留記憶手段に記憶された保留記憶により行う変動表示において前記特定表示結果を導出させるか否かを、該保留記憶についての数値データのうちの前記特定決定用数値データに基づいて、該保留記憶による変動表示の表示結果を導出するよりも前に決定する特定決定手段（ＣＰＵ５６：大当たり抽選、大当たり種別抽選）と、
識別情報の変動表示が開始されるときに、前記特定決定手段の決定結果と、当該時点で前記保留記憶手段に記憶されている保留記憶の数と、前記数値データ抽出手段により抽出された前記変動パターン選択用数値データの値と、複数種類の変動パターンの各々に対応した判定値とに基づいて、当該変動表示における識別情報の変動パターンを選択する変動パターン選択手段（ＣＰＵ５６：変動パターンの選択−ハズレ変動パターンを選択する乱数の範囲は、変動表示の開始時の保留記憶数が２以下か３以上かで異なる（図４、図５））と、
識別情報の変動表示が開始されるときに、当該時点で前記保留記憶手段に記憶されている保留記憶のうちに特定の保留記憶（スーパーリーチが選択される変動表示）が含まれているか否かを判定する特定保留記憶判定手段をと、
前記特定保留記憶判定手段の判定結果に応じて、前記保留記憶手段に記憶されている保留記憶のうちに特定の保留記憶が含まれている旨の先読み予告を実行するか否かを決定する先読み予告決定手段（表示制御基板８０の表示制御用ＣＰＵ：停止図柄の選択及び変動時先読み予告の実行の決定（図８））と、
前記先読み予告決定手段の決定結果に従って、前記先読み予告を実行する先読み予告実行手段（表示制御基板８０の表示制御用ＣＰＵ：リンゴを含むハズレ図柄を導出して「リンゴ」をキャラクタ図柄に変更して表示）とを備え、
前記特定変動パターンに対応した判定値は、識別情報の変動表示が開始されるときに前記保留記憶手段に記憶されている保留記憶の数に関わらずに、共通の判定値が設定され（スーパーリーチハズレの変動パターンを選択する乱数の範囲は、保留記憶数が２以下のときも３以上のときも同じ（図４、図５））、
前記特定変動パターンと異なる非特定変動パターンに対応した判定値は、識別情報の変動表示が開始されるときに前記保留記憶手段に記憶されている保留記憶の数に応じて異なる判定値が設定され（非リーチハズレ、ノーマルリーチハズレの変動パターンを選択する乱数の範囲は、保留記憶数が２以下のときと３以上のときとで異なる（図４、図５））、
前記特定保留記憶判定手段は、前記数値データ抽出手段により抽出された前記変動パターン選択用数値データの値が前記特定変動パターンに対応した共通の判定値と合致するか否かを判定することで、前記特定の保留記憶が含まれているか否かを判定する（変動開始時の保留記憶数に関わらずに始動入賞時で変動パターンが確定するノーマルリーチ当たり、スーパーリーチ当たり、スーパーリーチハズレを先読み予告する）
ことを特徴とする。
【手続補正５】
【補正対象書類名】明細書
【補正対象項目名】００１１
【補正方法】変更
【補正の内容】
【００１１】
なお、前記特定変動パターンは、前記特定表示結果を導出させる旨が決定されているときには、該特定表示結果を導出させる旨が決定されていないときよりも高い確率で選択されるものとすることができる。
【手続補正６】
【補正対象書類名】明細書
【補正対象項目名】００１２
【補正方法】変更
【補正の内容】
【００１２】
上記遊技機では、保留記憶手段に記憶された保留記憶により行う変動表示において特定表示結果を導出させる旨が特定決定手段により決定され、この決定に基づいて変動表示の表示結果として特定表示結果が導出されると、遊技者にとって有利な特定遊技状態に制御されるものとなる。また、所定の始動条件が成立することによって、変動表示を行うための保留記憶が所定数まで保留記憶手段に記憶されるが、保留記憶手段に記憶されている保留記憶のうちに特定の保留記憶、すなわち特定変動パターンが選択される保留記憶が含まれているか否かが先読み予告されるものとなっている。
【手続補正７】
【補正対象書類名】明細書
【補正対象項目名】００１３
【補正方法】変更
【補正の内容】
【００１３】
ところで、特定変動パターンを含む複数種類の変動パターンの何れで変動表示が実行されるかは、始動条件の成立時に抽出した特定決定用数値データに基づいて決定された特定決定手段の決定結果と、始動条件の成立時に抽出した変動パターン選択用数値データと、複数種類の変動パターンの各々に対応した判定値と、変動表示が開始されるときにおいて他に保留記憶手段に記憶されている保留記憶の数とに基づいて決定される。ここで、先読み予告の決定は、識別情報の変動表示が開始される度に、対象となる保留記憶に対応した変動表示が開始されるよりも前に行われるが、この決定を行う時点において保留記憶手段に記憶されている保留記憶に基づく特定決定手段の決定結果と変動パターン選択用数値データとは特定できるものの、各保留記憶に基づく変動表示が開始される時点で他に保留記憶手段に記憶されている保留記憶の数は未だ特定できない。従って、各保留記憶について選択される変動パターンが如何なる種類の変動パターンとなるかは特定できない。
【手続補正８】
【補正対象書類名】明細書
【補正対象項目名】００１４
【補正方法】変更
【補正の内容】
【００１４】
もっとも、特定表示結果を導出させる旨が決定される保留記憶であるか否かは、変動表示が開始されるときに他に保留記憶手段に記憶されている保留記憶の数が幾つになっていても、始動条件が成立したときの特定決定用数値データの値に基づいて特定することができる。また、特定変動パターンに対応した判定値には、変動表示が開始されるときに保留記憶手段に記憶されている保留記憶の数に関わらずに共通の判定値が設定されている。従って、先読み予告の決定を行う時点では、保留記憶手段に記憶されている保留記憶について選択される変動パターンが如何なる種類の変動パターンとなるかを未だ完全に特定することはできないものの、少なくとも特定変動パターンとなることだけは特定できる。そして、特定変動パターンが選択される保留記憶が含まれているか否かを先読み予告している。
【手続補正９】
【補正対象書類名】明細書
【補正対象項目名】００１５
【補正方法】変更
【補正の内容】
【００１５】
これにより、始動条件の成立に基づいて保留記憶手段に記憶された保留記憶についての変動パターンが、当該保留記憶の変動表示が開始される時点において他に保留記憶手段に記憶されている保留記憶の数に応じて選択されるものとなったとしても、当該保留記憶の変動パターン（ここでは、特定変動パターンとなること）を先読み予告することができるものとなる。裏を返せば、特定表示結果が導出されるか否かではなく、変動パターン（ここでは、特定変動パターンとなること）を先読み予告するものとしても、保留記憶手段に記憶された保留記憶に基づく変動表示が開始される時点で他に保留記憶手段に記憶されている保留記憶の数に応じて適切な変動パターンの選択ができるようになり、保留記憶手段に記憶されている保留記憶を適度に消化していくようにすることができる。
【手続補正１０】
【補正対象書類名】明細書
【補正対象項目名】００１６
【補正方法】変更
【補正の内容】
【００１６】
上記遊技機において、
前記非特定変動パターンは、表示結果が導出されるまでにリーチ表示態様が表示されない非リーチハズレパターン（非リーチハズレ）を含み、
前記非リーチハズレパターンに対応した判定値は、識別情報の変動表示が開始されるときに前記保留記憶手段に記憶されている保留記憶の数に関わらずに共通して設定された共通判定値（始動入賞口１４ａの始動入賞に対して非リーチハズレが選択される乱数の範囲は０〜９９（図４）、始動入賞口１４ｂの始動入賞に対して非リーチハズレが選択される乱数の範囲は０〜１３９（図５））を含むものとしてもよい。この場合において、
前記先読み予告決定手段は、前記先読み予告実行手段による先読み予告の対象となる保留記憶よりも前に変動表示が実行される全ての保留記憶が、前記特定決定用数値データの値が前記特定表示結果を導出させる旨が決定される判定値の範囲に含まれておらず前記変動パターン選択用数値データの値が前記共通判定値の範囲に含まれている保留記憶であることを条件として、前記先読み予告を実行する旨を決定するものとすることができる（スーパーリーチの前に非リーチハズレとなることが未確定の保留記憶がないときは、変動時先読み予告の実行が確定する（図８））。
【手続補正１１】
【補正対象書類名】明細書
【補正対象項目名】００１７
【補正方法】変更
【補正の内容】
【００１７】
この場合、先読み予告の決定を行う時点では、未だ保留記憶手段に記憶されている保留記憶のうちで特定表示結果を導出させる旨が決定されない保留記憶について選択される変動パターンが非リーチハズレパターンとなる場合を完全に特定することはできないものの、少なくとも非リーチハズレパターンしか選択され得ないものとなっているかは特定することができる。そして、先読み予告の対象となる保留記憶よりも前に変動表示が実行される全ての保留記憶について非リーチハズレパターンしか選択され得ないと特定できる場合を条件として先読み予告を実行する旨の決定を行うので、先読み予告の対象となる保留記憶までの何れの変動表示でもリーチ表示態様が表示されることもなく、演出の連続性を担保することができるものとなる。
【手続補正１２】
【補正対象書類名】明細書
【補正対象項目名】００１８
【補正方法】変更
【補正の内容】
【００１８】
上記遊技機は、
遊技の進行を制御するとともに、該遊技の進行に応じたコマンドを送信する手段であって、前記数値データ抽出手段と前記保留記憶手段と前記特定決定手段と前記変動パターン選択手段とを備える遊技制御手段（ＣＰＵ５６）と、
前記遊技制御手段から送信されたコマンドを受信し、該受信したコマンドに基づいて演出の実行を制御する手段であって、前記先読み予告決定手段と前記先読み予告実行手段とを備える演出制御手段（表示制御基板８０の表示制御用ＣＰＵ）とを備え、
前記遊技制御手段は、
前記始動条件が成立したときに、前記保留記憶手段に記憶された保留記憶に基づいて実行される変動表示に対して前記先読み予告を実行するのに必要な所定の先読み情報（大当たり情報及び変動パターン情報）を含む開始前コマンド（始動入賞コマンド）を送信する開始前コマンド送信手段（ＣＰＵ５６：始動入賞時における始動入賞コマンドの送信）と、
識別情報の変動表示が開始されるときに、該開始される変動表示を示す開始時コマンド（開始時コマンド）を送信する開始時コマンド送信手段（ＣＰＵ５６：変動表示の開始時における開始時コマンドの送信）とをさらに備え、
前記演出制御手段は、前記開始前コマンドを受信したときに、該開始前コマンドが含む先読み情報を記憶する先読み情報記憶手段（始動入賞コマンドの保存領域８０ａ、８０ｂ）をさらに備えるものであってもよい。この場合において、
前記特定保留記憶判定手段は、前記開始時コマンドを受信したときに、前記先読み情報記憶手段に記憶された先読み情報を参照して、前記保留記憶手段に記憶されている保留記憶のうちに特定の保留記憶が含まれているか否かを判定するものとすることができる（表示制御基板８０の表示制御用ＣＰＵ：開始時コマンドを受信したときに、始動入賞コマンドの保存領域８０ａ、８０ｂを参照して、停止図柄を選択して先読み予告を決定）。
【手続補正１３】
【補正対象書類名】明細書
【補正対象項目名】００２０
【補正方法】変更
【補正の内容】
【００２０】
そして、演出制御手段に含まれる先読み予告決定手段に含まれる特定保留記憶判定手段は、先読み情報記憶手段に記憶された先読み情報を参照することで、保留記憶手段に記憶されている保留記憶のうちに特定の保留記憶が含まれているか否かを判定することができるものとなっている。このため、遊技の進行を制御する遊技制御手段と演出の実行を制御する演出制御手段とに分かれて制御手段が構成し、先読み予告を実行するか否かの決定及び先読み予告の実行の制御を演出制御手段の側で行うものとしても、制御を複雑化させることがない。
【手続補正１４】
【補正対象書類名】明細書
【補正対象項目名】００２１
【補正方法】変更
【補正の内容】
【００２１】
上記のような遊技制御手段と演出制御手段とを備え、
前記特定保留記憶判定手段が、前記開始前コマンドを受信したときに、前記先読み情報記憶手段に記憶された先読み情報を参照して、前記保留記憶手段に記憶されている保留記憶のうちに特定の保留記憶が含まれているか否かを判定するものである場合には、
前記先読み情報は、前記特定決定手段により前記特定表示結果を導出させる旨が決定されるか否かを特定可能な特定決定情報（大当たり情報）と、前記変動パターン選択手段により選択される変動パターンが、少なくとも前記特定表示結果を導出させる旨が決定されるときに選択される変動パターンであるかと前記特定表示結果を導出させる旨が決定されないときに選択される前記特定変動パターンであるかとを特定可能な変動選択情報（変動パターン情報）とを含むものであってもよい。この場合において、
前記先読み予告決定手段は、前記先読み情報記憶手段に記憶された先読み情報のうちの前記変動選択情報を参照して、前記先読み予告を実行するか否かを決定し（表示制御基板８０の表示制御用ＣＰＵ：非リーチハズレとなる全ての変動表示で、始動入賞コマンドの保存領域８０ａ、８０ｂに記憶された始動入賞コマンドのうちの変動パターン情報を参照して、停止図柄を選択して先読み予告を決定）、
前記演出制御手段は、
予め定められた特定条件が成立したときに、前記先読み情報記憶手段に記憶された前記先読み情報のうちの前記特定決定情報を参照して、前記保留記憶手段に記憶されている保留記憶のうちに前記特定表示結果を導出させる旨が決定される保留記憶が含まれている旨の特定先読み予告を実行するか否かを決定する特定先読み予告決定手段（表示制御基板８０の表示制御用ＣＰＵ：第１大当たり遊技状態の終了後の最初の変動表示で、始動入賞コマンドの保存領域８０ａ、８０ｂに記憶された始動入賞コマンドのうちの大当たり情報を参照して、特別図柄保留記憶表示部１１のアイコンの表示色を決定（図９））と、
前記特定先読み予告決定手段の決定結果に従って、前記特定先読み予告を実行する特定先読み予告実行手段（表示制御基板８０の表示制御用ＣＰＵ：特別図柄保留記憶表示部１１のアイコンの表示色の変更）をさらに備えるものとすることができる。
【手続補正１５】
【補正対象書類名】明細書
【補正対象項目名】００２３
【補正方法】変更
【補正の内容】
【００２３】
この場合、識別情報の変動表示が開始されるときには、通常、先読み情報のうちの変動選択情報に基づいて保留記憶手段に記憶されている保留記憶のうちに特定の保留記憶（特定表示結果を導出させる旨が決定される保留記憶（特定変動パターンが選択される保留記憶）が含まれているか否かが先読み予告されるが、特定条件が成立したときには、先読み情報のうちの特定決定情報に基づいて保留記憶手段に記憶されている保留記憶のうちに特定表示結果を導出させる旨が決定される保留記憶が含まれているか否かが先読み予告されるものとなる。
【手続補正１６】
【補正対象書類名】明細書
【補正対象項目名】００２５
【補正方法】変更
【補正の内容】
【００２５】
また、上記のような遊技制御手段と演出制御手段とを備え、
前記特定保留記憶判定手段が、前記開始前コマンドを受信したときに、前記先読み情報記憶手段に記憶された先読み情報を参照して、前記保留記憶手段に記憶されている保留記憶のうちに特定の保留記憶が含まれているか否かを判定するものである場合には、
前記保留記憶手段に記憶されている保留記憶に関するデータは、前記遊技機の電源が遮断されているときにおいても保持される一方（ＲＡＭ５５には電源バックアップあり）、
前記先読み情報記憶手段に記憶された先読み情報に関するデータは、前記遊技機の電源が遮断されているときには保持されないものとすることができる（表示制御基板８０の表示制御用マイクロコンピュータに含まれるＲＡＭには電源バックアップなし）。
前記遊技制御手段は、前記遊技機の電源が起動されたときに、前記保留記憶手段にデータとして保持されている保留記憶の数を示す起動時コマンド（起動時コマンド）を送信する起動時コマンド送信手段（ＣＰＵ５６：電源の立ち上げ時における起動時コマンドの送信）をさらに備え、
前記演出制御手段は、前記起動時コマンドを受信したときに、該起動時コマンドが示す保留記憶の数だけ前記先読み情報記憶手段に前記特定の保留記憶でない旨を示す先読み情報を記憶させる起動時制御手段（表示制御基板８０の表示制御用ＣＰＵ：起動時コマンドの示す保留記憶数だけ、ハズレ且つ非スーパーリーチを始動入賞コマンドの保存領域８０ａ、８０ｂに記憶させる）をさらに備えるものとすることができる。
【手続補正１７】
【補正対象書類名】明細書
【補正対象項目名】００２６
【補正方法】変更
【補正の内容】
【００２６】
ここでは、保留記憶手段に記憶されている保留記憶に関するデータが電源遮断時においても保持されるため、遊技機の電源を起動した後において電源を遮断する直前の状態から遊技が再開されることになる。一方、先読み情報記憶手段に記憶された先読み情報に関するデータが電源遮断時には保持されないため、遊技機の電源を起動した後において、当該時点で保留記憶手段に記憶されている保留記憶に応じた先読み予告ができない。
【手続補正１８】
【補正対象書類名】明細書
【補正対象項目名】００２７
【補正方法】変更
【補正の内容】
【００２７】
もっとも、電源の起動時において、保留記憶手段に記憶されている保留記憶の数を示す起動時コマンドが遊技制御手段から演出制御手段に送信され、該起動時コマンドが示す保留記憶の数だけ特定の保留記憶でない旨を示す先読み情報が先読み情報記憶手段に記憶される。このため、遊技機の電源を起動したときに遊技制御手段と演出制御手段の双方で実行しなければならない制御を、最小限に抑えることができる（仮に、電源の遮断前に先読み情報記憶手段に記憶されていた先読み情報を復元しようとすると、保留記憶手段に記憶されている保留記憶の各々に対して開始時コマンドと同様のコマンドを送信する必要が生じ、制御が複雑になる）。
【手続補正１９】
【補正対象書類名】明細書
【補正対象項目名】００２８
【補正方法】変更
【補正の内容】
【００２８】
また、遊技機の電源を起動したときの制御をこのように行うことで、保留記憶手段に含まれている保留記憶のうちに特定の保留記憶（すなわち、特定変動パターンが選択される保留記憶）が含まれていない場合に、特定の保留記憶が含まれていることを徒に遊技者に期待させてしまうことがない。一方、特定の保留記憶が含まれていることを前提とした先読み予告が行われないままに実行された変動表示の表示結果により特定表示結果となっても、遊技者の気分を害することはないので、大きな問題が生じることはない。
【手続補正２０】
【補正対象書類名】明細書
【補正対象項目名】００２９
【補正方法】変更
【補正の内容】
【００２９】
上記遊技機において、
前記始動条件は、第１始動条件（始動入賞口１４ａへの遊技球の入賞）と、該第１始動条件とは同時に成立し得ない第２始動条件（始動入賞口１４ｂへの遊技球の入賞）とを含み、
前記保留記憶手段は、前記第１始動条件の成立に基づいて抽出された数値データを保留記憶として記憶する第１保留記憶手段（始動入賞口１４ａに対応した保留記憶バッファ）と、前記第２始動条件の成立に基づいて抽出された数値データを保留記憶として記憶する第２保留記憶手段（始動入賞口１４ｂに対応した保留記憶バッファ）とを備えるものとしてもよい。この場合において、上記遊技機は、
所定の有利条件が成立したときに、前記第２始動条件の成立頻度が高まる有利遊技状態（時短状態）に遊技状態を制御する有利遊技状態制御手段（ＣＰＵ５６）と、
前記第１保留記憶手段と前記第２保留記憶手段の双方に前記保留記憶が記憶されているときに、前記第１保留記憶手段に記憶されている保留記憶に優先して前記第２保留記憶手段に記憶されている保留記憶に基づく変動表示を実行させる変動実行制御手段（電チューサポートありの始動入賞口１４ｂの入賞を優先して特別図柄の変動表示を実行）とをさらに備え、
前記特定保留記憶判定手段は、前記有利遊技状態に制御されているときにおける前記第１始動条件の成立に基づいて前記第１保留記憶手段に記憶されている保留記憶を、前記特定の保留記憶ではないと判定するものとすることができる（表示制御基板８０の表示制御用ＣＰＵ：時短状態に制御されているときに始動入賞コマンドＡ１０１及び始動入賞コマンドＣ１０３を受信したときには、ノーマルリーチハズレを始動入賞コマンドの保存領域８０ａに記憶させる）。
【手続補正２１】
【補正対象書類名】明細書
【補正対象項目名】００３０
【補正方法】変更
【補正の内容】
【００３０】
この場合、有利遊技状態において第１保留記憶手段と第２保留記憶手段の双方に保留記憶が記憶されているときには、第２保留記憶手段に記憶されている保留記憶に基づく変動表示が優先して実行される。しかも、有利遊技状態に制御されているときは、第２始動条件の成立頻度が高まるために第２保留記憶手段に保留記憶が次々と記憶されていくので、第１保留記憶手段に保留記憶が記憶されていても、第１保留記憶手段に記憶されている保留記憶に基づく変動表示が行われないようになるのを前提として考えられる。
【手続補正２２】
【補正対象書類名】明細書
【補正対象項目名】００３１
【補正方法】変更
【補正の内容】
【００３１】
従って、有利遊技状態に制御されているときには、開発者側の意図としては、第２始動条件の成立に基づいて実行される変動表示の結果に応じて特定遊技状態に制御させようとしている。ここでは、有利遊技状態中における第１始動条件の成立に基づいて第１保留記憶手段に記憶されている保留記憶を特定の保留記憶ではないと判定することで、該第１保留記憶手段に記憶されている保留記憶に基づく変動表示の表示結果が特定表示結果となる可能性を認識できないようにすることによって、遊技者の技術介入により特定遊技状態を連続して発生させて想定数以上の遊技用価値が遊技者に付与されることを防ぐことができる。
【手続補正２３】
【補正対象書類名】明細書
【補正対象項目名】００３２
【補正方法】変更
【補正の内容】
【００３２】
ここで、上記のような遊技制御手段と演出制御手段とを備え、
前記特定保留記憶判定手段が、前記開始前コマンドを受信したときに、前記先読み情報記憶手段に記憶された先読み情報を参照して、前記保留記憶手段に記憶されている保留記憶のうちに特定の保留記憶が含まれているか否かを判定するものである場合には、
前記先読み情報記憶手段は、前記有利遊技状態に制御されているときにおける前記第１始動条件の成立に基づいて前記開始前コマンドを受信したときに、該開始前コマンドに含まれる先読み情報に関わらずに、該開始前コマンドに対応する保留記憶が前記特定の保留記憶でない旨を示す先読み情報を記憶するものとすることができる。
【手続補正２４】
【補正対象書類名】明細書
【補正対象項目名】００３３
【補正方法】変更
【補正の内容】
【００３３】
前記特定判定手段は、前記開始時コマンドを受信したときに、前記先読み情報記憶手段に記憶された先読み情報を参照して、前記保留記憶手段に記憶されている保留記憶のうちに特定の保留記憶が含まれているか否かを判定するが、ここで参照される先読み情報のうちで前記有利遊技状態に制御されているときにおける前記第１始動条件の成立により送信された開始前コマンドに基づいて記憶された先読み情報は、対応する保留記憶が前記特定の保留記憶でない旨を示している。従って、前記有利遊技状態に制御されているときにおける前記第１始動条件の成立に基づいて前記第１保留記憶手段に記憶されている保留記憶を、前記特定の保留記憶ではないと判定されることとなる。